(57)【要約】【課題】手摺の握り時の冷感をなくす。【解決手段】コージェネレーション１０の排熱を回収することにより生成された循環温水を、手摺１３０・１４２・１４４の内部通過させる。【選択図】　　　図２
2004049552.tif 000002
【特許請求の範囲】
【請求項１】
コージェネレーションの排熱を回収することにより生成された循環温水を内部通過させるようにした、手摺。
【発明の詳細な説明】
【０００１】
【発明の属する技術分野】
本発明は、手摺に関する。
【０００２】
【従来の技術】
周知のように、浴室内には、体の自由がきない人の入浴を容易ならしめるため、手摺が設けられている。しかして、この手摺は、通常、防錆の観点から、ステンレスで形成されている。
【０００３】
【発明が解決しようとする課題】
しかしながら、ステンレスで形成された手摺は、冬場は、浴室内に設置されているとはいえ、低い温度となっており、入浴者が握ると、かなりの冷感を催し、好ましくない。
【０００４】
それ故に、本発明は、上記した不具合がない、手摺を提供することを、その技術的課題とする。
【０００５】
【課題を解決するための手段】
上記した課題を解決するために請求項１において講じた第１の技術的手段は、「コージェネレーションの排熱を回収することにより生成された循環温水を内部通過させるようにした、手摺」を構成したことである。
【０００６】
【発明の実施の形態】
以下、添付図面に依拠して、本発明にかかるユニットバスの実施形態について説明する。
【０００７】
図１において、ユニットバス１００は、浴槽１１２が設置される床パネル１１４と、床パネル１１４に隣接する洗い場パネル１１６と、床パネル１１４と洗い場パネル１１６とからなる床部の左縁部に立設される壁パネル１１８と、床部の後縁部に立設される壁パネル１２０と、床部の右縁部に立設される壁パネル１２２と、床部の右縁部に立設され且つドア（図示略）が設けられる壁パネル１２４と、これら４枚の壁パネル１１８・１２０・１２２・１２４の上部に載置された天井パネル１２６とから構成される。
【０００８】
壁パネル１１８には、浴槽１２に沿って、ステンレス管で形成され且つ内部が空洞となった手摺１３０が設けられる。壁パネル１２０には、浴槽１１２に臨む混合水栓１３２が設けられる。壁パネル１２０には、また、洗い場パネル１１６に臨む混合水栓１３４と、シャワー１３６と、鏡１３８と、照明１４０と、上下方向に延在する手摺１４２とが設けられる。手摺１４２は、ステンレス管で形成され且つ内部が空洞となっており、浴槽１１２への入浴を容易ならしめる。壁パネル１２２には、ステンレス管で形成され且つ内部が空洞となった手摺１４４が、水平方向に延在するように、設けられる。
後で詳しく述べるように、ユニットバス１１０への給湯は、次のような態様で具現化される。
【０００９】
（１）混合水栓１３２・１３４及びシャワー１３６への給湯
（２）洗い場パネル１１６内に温水を循環させる、床暖房。
【００１０】
（３）壁パネル１１８・１２０・１２２内に温水を循環させる、輻射暖房（浴室内乾燥としても活用）
（４）天井パネル１２６内に温水を循環させる、輻射暖房（浴室内乾燥としても活用）
（５）手摺１３０・１４０．１４２内に、循環温水を通過させる。
【００１１】
図２に依拠して、ユニットバス１００への給湯システムを、詳細に説明する。
【００１２】
コージェネレーション装置１０は、改質部２０及び燃料電池１１を備えている。燃料電池１１は、触媒電極である空気極（カソード）１２と、同じく触媒電極である燃料極（アノード）１３とを備えて、固体高分子電解質型に構成されている。空気極１２には、空気供給通路１４を介して空気ブロア１５が接続されている。この空気ブロア１５は、回転数の変更により空気供給量を可変に構成されている。一方、燃料極１３には、改質ガス供給通路１６を介して改質部２０が接続されている。
【００１３】
改質部２０は、燃料改質器２１、ＣＯ変成器２２及びＣＯ選択酸化器２３を順に接続して構成されている。この改質部２０は、ＣＯ選択酸化器２３側で燃料電池１１の燃料極１３に接続される。また、改質部２０の燃料改質器２１側には、原料ガス供給通路１８を介して原燃料源（都市ガス）１７が接続されている。燃料改質器２１には、上記空気供給通路１４から分岐した分岐通路１９が接続されている。この分岐通路１９は、燃料改質器２１に対して、部分酸化反応用の空気を供給するためのものである。一方、ＣＯ変成器２２には、水蒸気供給源（図示省略）が接続されている。この水蒸気供給源は、ＣＯ変成器２２に対して、水性ガスシフト反応用の水蒸気を供給するためのものである。
【００１４】
燃料改質器２１には、周知のように、部分酸化反応に活性を呈する触媒（Ｒｈ又はＲｕをＡｌ２Ｏ３に担持させてなる触媒）が充填されている。また、ＣＯ変成器２２には、水性ガスシフト反応に活性を呈する触媒（ＰｔをＡｌ２Ｏ３に担持させてなる触媒）が充填されている。更に、ＣＯ選択酸化器２３にはＣＯの選択酸化反応に活性を呈する触媒（Ｒｕ又はＰｔをＡｌ２Ｏ３又はゼオライトに担持させてなる触媒）が充填されている。
【００１５】
燃料改質器２１では、触媒上において原燃料の部分酸化反応が起こり、水素とＣＯとが生成する。燃料改質器２１を出た改質ガスは、ＣＯ変成器２２へ送られる。ＣＯ変成器２２では、触媒上において水性ガスシフト反応が起こり、改質ガスのＣＯ濃度が低下する。ＣＯ変成器２２を出た改質ガスは、ＣＯ選択酸化器２３へ送られる。ＣＯ選択酸化器２３では、触媒上においてＣＯの選択酸化反応が起こり、改質ガスのＣＯ濃度がさらに低下する。ＣＯ選択酸化反応器を出た改質ガスは、燃料電池１１の燃料極１３に導入される。
【００１６】
燃料改質器２１には、また、周知のように、起動用の電気ヒータ（図示省略）が設けられている。即ち、起動時には燃料改質器２１の温度が低いため、電気ヒータへの通電によって、触媒が活性を呈する温度（例えば摂氏４６０度程度）まで加熱される。起動後は、電気ヒータへの通電を停止する。燃料改質器２１における部分酸化反応は発熱反応であるため、起動後において外部からの熱供給は不要である。
【００１７】
燃料電池１１には、空気供給通路１４を通じて空気極１２へ空気が導入され、改質ガス供給通路１６を通じて燃料極１３へ改質ガスが導入される。燃料電池１１では、燃料極１３の電極表面で下記（１）の反応が、空気極１２の電極表面で下記（２）の反応が、夫々、惹起される。
【００１８】
（１）２Ｈ２　→　４Ｈ＋＋４ｅ−、
（２）Ｏ２＋４Ｈ＋＋４ｅ−　→　２Ｈ２Ｏ
この電池反応によって、燃料電池１１から直流電力が出力される。また、燃料電池１１には、可変抵抗による電圧調節器２７介してインバータ２８が接続され、このインバータ２８に電力負荷２９が接続されている。そして、燃料電池１１からの直流電力は、所定電圧で所定周波数の交流電力に変換されて電力付加へ供給される。尚、燃料電池１１における空気極１２及び燃料極１３の各排気口は、大気開放されている。
【００１９】
コージェネレーション装置１０には、閉回路に構成されて水が循環する熱回収回路３０が設けられている。この熱回収回路３０は、燃料電池１１及び改質部２０の廃熱を回収して温水を生成するためのものである。熱回収回路３０は、貯湯タンク３１と、ポンプ３２と、第１熱回収部３３と、第２熱回収部３４とを順に配管接続して構成されている。第１熱回収部３３は、燃料電池１１に設けられており、熱回収回路３０で循環する水を燃料電池１１の廃熱によって加熱する。第２熱回収部３４は、改質部２０に設けられており、熱回収回路３０で循環する水を改質部２０の燃料改質器２１、ＣＯ変成器２２及びＣＯ選択酸化器２３の廃熱によって加熱する。つまり、熱回収回路３０を循環する水は、第１熱回収部３３及び第２熱回収部３４を順に流れて次第に加熱され、例えば摂氏８０度程度の温水となって貯湯タンク３１に蓄えられる。
【００２０】
貯湯タンク３１は、周知の手段にて、混合水栓１３２・１３４及びシャワー１３６へ配管されている。しかして、貯湯タンク３１には常時、水道水圧が印加されており、いずれか一つの機器がオンされると、湯が水道圧により勢い良く押し出されるようになっている。
【００２１】
熱回収回路３０には、配管３１０、配管３２０及び配管３３０が並列して設けられている。しかして、配管３１０は、洗い場パネル１１６内に埋設されており、熱回収回路３０を循環する湯が配管３１０を通過することにより、洗い場パネル１１６が加温され、浴室床暖房・乾燥がなされる。この浴室床暖房・乾燥は、電磁弁４１０を閉じることによりなされる。
【００２２】
配管３２０は、分割された態様で、壁パネル１１８・１２０・１２２内に埋設されており、熱回収回路３０を循環する湯が配管３２０を通過することにより、壁パネル１１８・１２０・１２２が加温され、輻射熱により、浴室内暖房・乾燥がなされる。鏡１３８は、この輻射熱を背面から受けるので、曇り防止がなされる。この浴室内暖房・乾燥は、電磁弁４２０を閉じることによりなされる。
【００２３】
手摺１３０、手摺１４０及び手摺１４２は、夫々、壁パネル１１８、壁パネル１２０及び壁パネル１２２に固定されるとき、配管３２０の並列分岐管となるようになっており、熱回収回路３０を循環する湯が配管３２０を通過する際に、この湯が手摺１３０、手摺１４０及び手摺１４２を通過し、ステンレス製の手摺１３０、手摺１４０及び手摺１４２を暖め、握った時の冷感を防止している。
【００２４】
配管３３０は、天井パネル１２６内に埋設されており、熱回収回路３０を循環する湯が配管３３０を通過することにより、天井パネル１２６内が加温され、輻射熱により、浴室内暖房・乾燥がなされる。この浴室内暖房・乾燥は、電磁弁４３０を閉じることによりなされる。
【００２５】
尚、配管３１０・３２０．３３０は、輻射面積を極力広めるため、対応するパネル内において、蛇行ないしはジグザグを描いている。
【００２６】
【発明の効果】
以上述べたことから明らかなように、本発明によれば、コージェネレーションの排熱を用いて手摺を暖めて握り時の冷感を排除したので、実用上、多大な効果を奏する。
【図面の簡単な説明】
【図１】本発明の手摺が配置されるユニットバスの内部を示す概略図である。
【図２】図１に示すユニットバスへの給湯システムを示す配管図である。
【符号の説明】
１０・・・コージェネレーション装置
３０・・・熱回収回路（熱回収手段）
３２・・・貯湯タンク
１００・・・ユニットバス
１１８・・・壁面パネル
１２０・・・壁面パネル
１２２・・・壁面パネル
１２４・・・壁面パネル
１２６・・・天井パネル
１３０・・・手摺
１４２・・・手摺
１４４・・・手摺
【図１】
2004049552.tif 000003
【図２】
2004049552.tif 000004